(57)【要約】【課題】電池の充電が実行されていない原因などの詳細な情報をユーザに分かりやすく通知できるようにする。【解決手段】電子機器は、送電装置と通信する通信手段と、通信手段を介して送電装置から電力を受け取る受電手段と、受電手段が受け取った電力により電池の充電を制御する制御手段と、電池の充電状態を通知する通知手段とを有し、制御手段は、送電装置に第１の電力を要求し、送電装置から伝送された第１の電力により電池が正規電池であるか否かを判定し、電池が正規電池ではないと判定された場合には、送電装置に第２の電力を要求し、送電装置から伝送された第２の電力により通知手段が電池の充電が実行されていない原因を通知するように制御する。【選択図】図１
2019022420.tif 000002
【特許請求の範囲】
【請求項１】
送電装置と通信する通信手段と、
前記通信手段を介して前記送電装置から電力を受け取る受電手段と、
前記受電手段が受け取った電力により電池の充電を制御する制御手段と、
前記電池の充電状態を通知する通知手段と
を有し、
前記制御手段は、
前記送電装置に第１の電力を要求し、
前記送電装置から伝送された前記第１の電力により前記電池が正規電池であるか否かを判定し、
前記電池が正規電池ではないと判定された場合には、前記送電装置に第２の電力を要求し、
前記送電装置から伝送された前記第２の電力により前記通知手段が前記電池の充電が実行されていない原因を通知するように制御することを特徴とする電子機器。
【請求項２】
前記制御手段は、
前記電池が正規電池であると判定された場合には、前記送電装置に対して、前記電池を充電させるために必要な第３の電力を要求し、
前記送電装置から伝送された前記第３の電力により前記電池を充電することを特徴とする請求項１に記載の電子機器。
【請求項３】
前記制御手段は、
前記送電装置に第４の電力を要求し、
前記送電装置から伝送された前記第４の電力により前記電子機器の電源の種別を判定し、
前記電源の充電が実行されていない場合には、前記送電装置に前記第２の電力を要求し、
前記送電装置から伝送された前記第２の電力により前記通知手段が前記電源の充電が実行されていない原因を通知するように制御することを特徴とする請求項１または２に記載の電子機器。
【請求項４】
前記電源の充電が実行されていない原因は、前記電子機器に電池が接続されていない状態を含むことを特徴とする請求項３に記載の電子機器。
【請求項５】
前記電源の充電が実行されていない原因は、電池の代わりにＤＣカプラが接続されている状態を含むことを特徴とする請求項３に記載の電子機器。
【請求項６】
前記通知手段は、前記充電が実行されていない原因を表示するための表示手段を有することを特徴とする請求項１から５のいずれか１項に記載の電子機器。
【請求項７】
光源を有する表示手段をさらに有し、
前記制御手段は、前記光源の点灯状態を制御することにより、前記充電が実行されていない原因を通知することを特徴とする請求項１から５のいずれか１項に記載の電子機器。
【請求項８】
前記充電が実行されていない原因が前記送電装置と前記電子機器との位置ずれまたは前記電子機器の姿勢である場合、前記制御手段は、前記表示手段による通知を行うことを特徴とする請求項７に記載の電子機器。
【請求項９】
前記制御手段は、前記表示手段を表示して所定の期間が経過した場合に、前記表示手段の表示を停止し、前記送電装置に対する前記第２の電力の要求を停止することを特徴とする請求項６に記載の電子機器。
【請求項１０】
ユーザが前記電子機器に接触したことを検出する検出手段をさらに有し、
前記制御手段は、
ユーザが前記電子機器に接触したことが検出された場合に、前記送電装置に対して前記第２の電力を要求し、
前記送電装置から伝送された前記第２の電力により前記表示手段を表示して前記充電が実行されていない原因を再表示することを特徴とする請求項９に記載の電子機器。
【請求項１１】
前記制御手段は、前記表示手段の表示を停止して所定の期間が経過した場合に、前記送電装置に対して前記第２の電力を要求し、
前記送電装置から伝送された前記第２の電力により前記表示手段を表示して前記充電が実行されていない原因を再表示することを特徴とする請求項９に記載の電子機器。
【請求項１２】
前記送電装置から伝送される電力は、無線送電されることを特徴とする請求項１から１１のいずれか１項に記載の電子機器。
【請求項１３】
電子機器の制御方法であって、
前記電子機器は、
送電装置と通信する通信手段と、
前記通信手段を介して前記送電装置から電力を受け取る受電手段と、
前記受電手段が受け取った電力により電池の充電を制御する制御手段と、
前記電池の充電状態を通知する通知手段と
を有し、
前記制御方法は、
前記送電装置に第１の電力を要求するステップと、
前記送電装置から伝送された前記第１の電力により前記電池が正規電池であるか否かを判定するステップと、
前記電池が正規電池ではないと判定された場合には、前記送電装置に第２の電力を要求するステップと、
前記送電装置から伝送された前記第２の電力により前記通知手段が前記電池の充電が実行されていない原因を通知するステップと
を有することを特徴とする制御方法。
【請求項１４】
コンピュータを、
送電装置と通信する通信手段と、
前記通信手段を介して前記送電装置から電力を受け取る受電手段と、
前記受電手段が受け取った電力により電池の充電を制御する制御手段と、
前記電池の充電状態を通知する通知手段
として機能させるためのプログラムであって、
前記制御手段は、
前記送電装置に第１の電力を要求し、
前記送電装置から伝送された前記第１の電力により前記電池が正規電池であるか否かを判定し、
前記電池が正規電池ではないと判定された場合には、前記送電装置に第２の電力を要求し、
前記送電装置から伝送された前記第２の電力により前記通知手段が前記電池の充電が実行されていない原因を通知するように制御することを特徴とするプログラム。
【発明の詳細な説明】
【技術分野】
【０００１】
本発明は、電池を充電することができる電子機器、制御方法およびプログラムに関する。
【背景技術】
【０００２】
正規電池ではない電池（以下、非正規電池）の中には、電池の保護機能が不十分なものが存在する。そのため、電子機器の中には、接続電源が正規電池であるか否かを認証するための認証機能が搭載されているものがある。特許文献１には、接続電源が正規電池であるか否かを判定するために、電池認証を行う方法が記載されている。
【０００３】
正規電池は所定の充電プロファイルに準拠しているが、非正規電池は所定の充電プロファイルに準拠しているか不明である。そのため、接続電源が非正規電池である場合には、安全面を考慮して非正規電池の充電を停止することが想定される。非正規電池の充電を停止した場合には、非正規電池の充電が停止していることをユーザに通知することが望ましい。特許文献２には、電池の充電が停止していることをユーザに通知するために、ＬＥＤを点灯させて簡易的に通知する方法が記載されている。
【先行技術文献】
【特許文献】
【０００４】
【特許文献１】特開２００９−１５１９５３号公報
【特許文献２】特開２０１２−０５３９９９号公報
【発明の概要】
【発明が解決しようとする課題】
【０００５】
しかしながら、特許文献２に記載されている方法では、電池の充電が実行されていない原因などの詳細な情報をユーザに分かりやすく通知することはできない。
【０００６】
そこで、本発明は、電池の充電が実行されていない原因などの詳細な情報をユーザに分かりやすく通知できるようにすることを目的とする。
【課題を解決するための手段】
【０００７】
本発明に係る電子機器は、送電装置と通信する通信手段と、前記通信手段を介して前記送電装置から電力を受け取る受電手段と、前記受電手段が受け取った電力により電池の充電を制御する制御手段と、前記電池の充電状態を通知する通知手段とを有し、前記制御手段は、前記送電装置に第１の電力を要求し、前記送電装置から伝送された前記第１の電力により前記電池が正規電池であるか否かを判定し、前記電池が正規電池ではないと判定された場合には、前記送電装置に第２の電力を要求し、前記送電装置から伝送された前記第２の電力により前記通知手段が前記電池の充電が実行されていない原因を通知するように制御する。
【０００８】
本発明に係る制御方法は、電子機器の制御方法であって、前記電子機器は、送電装置と通信する通信手段と、前記通信手段を介して前記送電装置から電力を受け取る受電手段と、前記受電手段が受け取った電力により電池の充電を制御する制御手段と、前記電池の充電状態を通知する通知手段とを有し、前記制御方法は、前記送電装置に第１の電力を要求するステップと、前記送電装置から伝送された前記第１の電力により前記電池が正規電池であるか否かを判定するステップと、前記電池が正規電池ではないと判定された場合には、前記送電装置に第２の電力を要求するステップと、前記送電装置から伝送された前記第２の電力により前記通知手段が前記電池の充電が実行されていない原因を通知するステップとを有する。
【０００９】
本発明に係るプログラムは、コンピュータを、送電装置と通信する通信手段と、前記通信手段を介して前記送電装置から電力を受け取る受電手段と、前記受電手段が受け取った電力により電池の充電を制御する制御手段と、前記電池の充電状態を通知する通知手段として機能させるためのプログラムであって、前記制御手段は、前記送電装置に第１の電力を要求し、前記送電装置から伝送された前記第１の電力により前記電池が正規電池であるか否かを判定し、前記電池が正規電池ではないと判定された場合には、前記送電装置に第２の電力を要求し、前記送電装置から伝送された前記第２の電力により前記通知手段が前記電池の充電が実行されていない原因を通知するように制御する。
【発明の効果】
【００１０】
本発明によれば、電池の充電が実行されていない原因などの詳細な情報をユーザに分かりやすく通知することができる。
【図面の簡単な説明】
【００１１】
【図１】実施形態１における無線受電装置１０１の構成要素と実施形態１における無線送電装置２０１の構成要素とを説明するためのブロック図である。
【図２】（Ａ）は無線受電装置１０１の動作例を説明するためのフローチャートであり、（Ｂ）は無線送電装置２０１の動作例を説明するためのフローチャートである。
【図３】実施形態２における無線受電装置１０１の構成要素と実施形態２における無線送電装置２０１の構成要素とを説明するためのブロック図である。
【図４】（Ａ）は無線受電装置１０１の動作例を説明するためのフローチャートであり、（Ｂ）は無線送電装置２０１の動作例を説明するためのフローチャートである。
【図５】実施形態１および実施形態２における表示例を説明するための図である。
【発明を実施するための形態】
【００１２】
以下、図面を参照して本発明の実施形態を説明する。ただし、本発明は以下の実施形態に限定されるものではない。
【００１３】
［実施形態１］
図１を参照して、実施形態１における無線受電装置１０１の構成要素と実施形態１における無線送電装置２０１の構成要素とを説明する。図１において、太い矢印は電力の流れを示し、細い矢印はデータまたは信号の流れを示す。
【００１４】
無線受電装置１０１は、無線送電装置２０１から伝送された電力を受け取る装置である。無線受電装置１０１は、撮像装置（例：デジタルカメラ）、携帯電話（例：スマートフォン）、携帯端末（例：タブレット端末）またはそれらの少なくとも一つとして動作可能である。
【００１５】
制御部１０２は、無線受電装置１０１の後述する各構成要素を制御するためのプログラムを記憶したメモリと、そのメモリに記憶されたプログラムを実行することにより無線受電装置１０１の各構成要素を制御するプロセッサとを有する。制御部１０２のプロセッサは、例えばハードウェアプロセッサである。
【００１６】
電力制御部１０３は、電池１０６または受電部１０５から供給される電力を無線受電装置１０１の各構成要素に供給する。電力制御部１０３は、無線受電装置１０１の各構成要素に供給される電力を制御する機能と、電池１０６の充電を制御する機能とを有する。
【００１７】
通信部１０４は、通信部２０４と無線通信を行う。通信部１０４と通信部２０４との間で行われる無線通信は、所定の無線通信規格（例：Ｂｌｕｅｔｏｏｔｈ（登録商標）、Ｂｌｕｅｔｏｏｔｈ  Ｌｏｗ  Ｅｎｅｒｇｙ（以下、ＢＬＥ）、ＺｉｇＢｅｅ（登録商標）、Ｗｉ−Ｆｉ（商標商標）など）に準拠する。
【００１８】
受電部１０５は、コイルアンテナなどにより、無線送電装置２０１から無線で伝送される電力を受け取る。
【００１９】
電池１０６は、充電可能な電池（例：リチウムイオン電池）であり、無線受電装置１０１から取り外し可能である。電池認証部１０７は、電池１０６が正規電池であるか否かを判定する。電池認証部１０７は、例えば、電池１０６に固有のＩＤ情報などを電池１０６から読み出し、読み出したＩＤ情報と制御部１０２のメモリが予め記憶しているＩＤ情報とを比較する。そして、２つのＩＤ情報が一致した場合には電池１０６が正規電池であると判定し、２つのＩＤ情報が一致しない場合には電池１０６が非正規電池であると判定する。制御部１０２は、電池認証部１０７において電池１０６が非正規電池であると判定された場合、安全面を考慮して電池１０６の充電を停止するように電力制御部１０３を制御する。その理由は、非正規電池は充電プロファイルが不明であるためである。
【００２０】
表示部１０８は、表示パネル（例：ＬＣＤ（Ｌｉｑｕｉｄ  Ｃｒｉｓｔａｌ  Ｄｉｓｐｌａｙ）パネルなど）を有する。表示部１０８は、電池１０６の充電状態についての詳細な情報を文字または画像によりユーザに通知することが可能であればよい。表示部１０８を使用することにより、充電状態についての詳細な情報を文字または画像によりユーザに通知することができる。
【００２１】
簡易表示部１０９は、光源（例：ＬＥＤ（Ｌｉｇｈｔ  Ｅｍｉｔｔｉｎｇ  Ｄｉｏｄｅ）など）を有する簡易的な表示部である。簡易表示部１０９は、例えばＬＥＤを点灯あるいは点滅させることによって、ユーザに警告を発することができる。例えば、電池１０６の充電中はＬＥＤを点灯状態にするようにし、充電不可の場合はＬＥＤを点滅状態にするようにして、ユーザに警告することが可能である。充電不可の場合とは、例えば、無線受電装置１０１の姿勢が適正ではない場合や、受電部１０５と送電部２０５との間に位置ずれが発生している場合などが考えられる。なお、ＬＥＤは、ユーザに電池１０６の充電状態の詳細な情報を通知することはできない。
【００２２】
記憶部１１０は、電池認証に必要な電力についての情報、電池１０６の充電に必要な電力についての情報などを記憶する。
【００２３】
接触検出部１１１は、ユーザが無線受電装置１０１に接触したことを検出する。検出方法としては、例えば、加速度センサを用い、ユーザが無線受電装置１０１に触れて、無線受電装置１０１が移動したことを検出する方法が考えられる。
【００２４】
無線送電装置２０１は、無線受電装置１０１に無線で電力を伝送する装置である。
【００２５】
制御部２０２は、無線送電装置２０１の後述する各構成要素を制御するためのプログラムを記憶したメモリと、そのメモリに記憶されたプログラムを実行することにより無線送電装置２０１の各構成要素を制御するプロセッサとを有する。制御部２０２のプロセッサは、例えばハードウェアプロセッサである。
【００２６】
電源部２０３は、例えば、交流電源からの交流電力を直流電力に変換するＡＣアダプタとして動作する。電源部２０３は、無線送電装置２０１から取り外し可能であるが、無線送電装置２０１に内蔵でもよい。
【００２７】
通信部２０４は、通信部１０４と無線通信を行う。送電部２０５は、コイルアンテナなどにより、無線受電装置１０１に電力を無線で伝送する。
【００２８】
次に、図２（Ａ）および図２（Ｂ）のフローチャートを参照して、無線受電装置１０１の動作例と無線送電装置２０１の動作例とを説明する。図２（Ａ）は、実施形態１における無線受電装置１０１の動作例を説明するためのフローチャートである。図２（Ｂ）は、実施形態１における無線送電装置２０１の動作例を説明するためのフローチャートである。以下では、ユーザが無線受電装置１０１を無線送電装置２０１に設置したことをトリガーとして無線電力伝送が開始される場合における無線受電装置１０１および無線送電装置２０１の動作例を説明する。
【００２９】
なお、図２（Ａ）を参照して説明する無線受電装置１０１の動作は、制御部１０２のプロセッサが制御部１０２のメモリに記憶されたプログラムを実行することにより制御される。図２（Ｂ）を参照して説明する無線送電装置２０１の動作は、制御部２０２のプロセッサが制御部２０２のメモリに記憶されたプログラムを実行することにより制御される。
【００３０】
ステップＳ１０１において、制御部１０２は、通信部１０４を制御して通信接続を実行する。
【００３１】
ステップＳ２０１において、制御部２０２は、通信部２０４を制御して、通信部１０４との通信接続を実行する。
【００３２】
ステップＳ１０２において、制御部１０２は、通信部１０４から通信部２０４に対して電池認証が実行可能な第１の電力を要求するための第１の電力要求を送信する。第１の電力は、電池認証部１０７と制御部１０２との間で実施される電池認証処理に必要な電力であり、例えば、予め必要な電力を測定することで特定できる。また、第１の電力情報を記憶部１１０に記憶することで、通信部１０４が記憶部１１０に記憶されている第１の電力情報を、無線送電装置２０１に送信することができる。
【００３３】
ステップＳ２０２において、通信部２０４は、無線受電装置１０１から第１の電力情報を受信し、受信した第１の電力情報を制御部２０２に通知する。
【００３４】
ステップＳ２０３において、送電部２０５は、無線受電装置１０１から受信した第１の電力情報に応じた第１の電力を受電部１０５に無線で伝送する。この場合、送電部２０５と受電部１０５との結合係数などによって、送電電力が一定であっても、受電電力が変わる場合がある。そのため、制御部２０２は、適切な受電電力となるように送電部２０５の送電電力を調整する。
【００３５】
ステップＳ１０３において、受電部１０５は、送電部２０５から伝送される第１の電力を受け取る。電力制御部１０３は、受電部１０５が受け取った第１の電力を制御部１０２などに供給する。この第１の電力を使用して、制御部１０２は電池認証を実行する。
【００３６】
ステップＳ１０４において、制御部１０２は、ステップＳ１０３で行われた電池認証の結果に基づき、電池１０６が正規電池であるか否かを判定する。電池１０６が正規電池であると判定した場合、制御部１０２は、ステップＳ１１１に進む。電池１０６が非正規電池であると判定した場合、制御部１０２は、ステップＳ１０５に進む。
【００３７】
ステップＳ１１１において、制御部１０２は、通信部１０４と通信部２０４との間で通信を行い、電池１０６の充電に必要な第３の電力情報を通信部２０４に送信する。
【００３８】
ステップＳ２０８において、通信部２０４は、通信部１０４から第３の電力情報を受信し、受信した第３の電力情報を制御部２０２に通知する。
【００３９】
ステップＳ２０９において、送電部２０５は、ステップＳ２０８で受信した第３の電力情報に応じた第３の電力を受電部１０５に無線で伝送する。この場合、送電部２０５と受電部１０５との結合係数などによって、送電電力が一定であっても、受電電力が変わる場合がある。そのため、制御部２０２は、適切な受電電力となるように送電部２０５の送電電力を調整する。
【００４０】
ステップＳ１１２において、受電部１０５は、送電部２０５から伝送される第３の電力を受け取り、電力制御部１０３は、受電部１０５が受け取った電力により電池１０６の充電を開始する。
【００４１】
ステップＳ１０５において、制御部１０２は、安全面を考慮して電池１０６の充電を停止するように電力制御部１０３を制御する。その理由は、非正規電池は充電プロファイルが不明であるためである。制御部１０２はさらに、通信部１０４と通信部２０４との間で通信を行い、表示部１０８を動作可能な第２の電力を要求するための第２の電力要求を送信する。
【００４２】
ステップＳ２０４において、制御部２０２は、通信部２０４を介して第２の電力情報を受信し、受信した第２の電力情報を制御部２０２に通知する。
【００４３】
ステップＳ２０５において、送電部２０５は、無線受電装置１０１が必要とする第２の電力を受電部１０５に無線で伝送する。この場合、送電部２０５と受電部１０５との結合係数などによって、送電電力が一定であっても、受電電力が変わる場合がある。そのため、制御部２０２は、適切な受電電力となるように送電部２０５の送電電力を調整する。
【００４４】
ステップＳ１０６において、受電部１０５は、送電部２０５から第２の電力を受け取り、表示部１０８は、受電部１０５が受け取った第２の電力により充電不可原因を表示する。表示例としては、図５（Ａ）に示すような、”電池の認証に失敗しました、充電できません“などの表示を行い、ユーザに充電不可原因を通知する。
【００４５】
ステップＳ１０７において、制御部１０２は、ステップＳ１０６の表示を、所定の時間継続する。充電不可原因を表示する時間については、ユーザが無線受電装置１０１を無線送電装置２０１に設置してから無線送電装置２０１から離れるまでの時間に設定するのが望ましい。また、ユーザが所望の時間を設定できるようにしてもよい。ステップＳ１０７で所定の時間が経過した場合は、ステップＳ１０８に進み、制御部１０２は表示部１０８をオフにする。
【００４６】
ステップＳ１０９において、制御部１０２は、通信部１０４と通信部２０４との間で通信を行い、第２の電力の送信を停止するための送信停止要求を送信する。
【００４７】
ステップＳ２０６において、通信部２０４が第２の電力の送信停止要求を受信し、制御部２０２に通知する。
【００４８】
ステップＳ２０７において、制御部２０２は、送電部２０５からの第２の電力の送電を停止する。これにより、不要な電力の送電を行うことがなく、省電力化ができる。
【００４９】
ステップＳ１１０において、制御部１０２は、所定の時間が経過していないこと、または、ユーザの接触を検出していないことを条件にステップＳ１０８に戻り、引き続き表示部１０８はオフの状態で、送電部２０５からの第２の電力の送電は停止している。
【００５０】
ステップＳ１１０において、制御部１０２は、所定の時間が経過したこと、または、ユーザの接触を検出したことを条件にステップＳ１０５に戻る。そして、通信部１０４は第２の電力を再度要求し、表示部１０８は充電不可原因を再表示する。所定の期間が経過したか否かは、例えば、制御部１０２や通信部１０４や電力制御部１０３などに含まれるリアルタイムクロックを用いたタイマ機能を使用するなどにより判定できる。充電不可原因を表示させる期間は、予めユーザが所望の時間を設定できるようにしてもよい。
【００５１】
また、実施形態１では、送電部２０５から伝送される電力を使用して、電池認証の実行、表示部１０８への表示などを行っているが、電池残量が所定量以上であれば、送電部２０５から伝送される電力と共に電池の電力を使用してもよい。
【００５２】
また、実施形態１では、充電不可原因を、表示部１０８を使用してユーザに通知しているが、充電不可原因として、無線受電装置１０１の姿勢が正しくない場合や、受電部１０５と送電部２０５の位置ずれの場合がある。このような場合には、簡易表示部１０９を使用してユーザに警告を発する。また、無線受電装置１０１が正しく設置されているにもかかわらず、電池１０６の充電ができない場合には表示部１０８を使用して詳細な情報をユーザに通知する。このように、充電不可原因の場合分けを行うことにより、ユーザに充電不可原因を分かりやすく通知することができる。
【００５３】
以上説明したように、無線受電装置１０１は、電池１０６が非正規電池であった場合には、接続電源の充電が実行されていない原因を表示部１０８に表示することができる。これにより、電池１０６の充電が実行されていない原因をユーザに分かりやすく通知することができる。
【００５４】
［実施形態２］
実施形態１では、電池認証の結果、電池１０６が非正規電池であった場合には、充電不可原因を通知する例を説明した。これに対し、実施形態２では、充電不可原因の一つとして、電池１０６が正規電池および非正規電池のいずれでもない場合が想定される。そのため、実施形態２では、電池１０６が正規電池および非正規電池のいずれでもない場合であっても、充電不可原因を通知する例を説明する。
【００５５】
図３を参照して、実施形態２における無線受電装置１０１の構成要素と実施形態２における無線送電装置２０１の構成要素とを説明する。図３において、太い矢印は電力の流れ、細い矢印はデータまたは信号の流れをそれぞれ示す。
【００５６】
図３に示す無線送電装置２０１の構成要素は、図１に示す無線送電装置２０１の構成要素と同様であるので、図１に示す符号と同一の符号を付し、それらの説明を省略する。図３に示す無線受電装置１０１の構成要素のうち、図１に示す無線受電装置１０１の構成要素と同様の構成および機能を有する構成要素については、図１に示す符号と同一の符号を付し、それらの説明を省略する。したがって、実施形態２では、図１に示す無線受電装置１０１の構成要素と異なる部分と、図１に示す無線受電装置１０１に含まれない構成要素とを説明する。
【００５７】
図３に示すように、実施形態２における無線受電装置１０１は、実施形態１における無線受電装置１０１と異なり、電池検出部３０１と、ＤＣカプラ検出部３０３と、電源選択部３０４とをさらに有する。実施形態２における電池１０６は、実施形態１における電池１０６と異なり、温度検出部３０２をさらに有する。
【００５８】
温度検出部３０２は、電池１０６内の温度を検出するための素子（例：サーミスタ）である。電池検出部３０１は、温度検出部３０２の抵抗値に基づき、電池１０６が無線受電装置１０１に接続されているか否かを検出する。なお、電池１０６が無線受電装置１０１に接続されているか否かを検出する方法は、このような方法に限らず、別の方法であってもよい。
【００５９】
ＤＣカプラ検出部３０３は、電池１０６の代わりにＤＣカプラが接続されている場合の電圧値を検出し、電力供給がなされているか否かを検出する。これは、非正規電池の場合以外の充電不可原因として、電池１０６の代わりにＤＣカプラが接続され、商用電源などからＤＣカプラを通して電力が供給されていることを検出するためである。ＤＣカプラは、電池のように温度を管理する必要がないため、ＤＣカプラの場合にはサーミスタは不要となる。このように、非正規電池の場合以外の充電不可原因として、電池検出部３０１とＤＣカプラ検出部３０３を使用することで、電池１０６の代わりにＤＣカプラが接続されていることを検出することができる。なお、実施形態２では、ＤＣカプラ検出部３０３が電圧値を検出する方法を説明したが、ＤＣカプラが接続されているか否かを検出することができれば、別の検出方法を用いてもよい。
【００６０】
電源選択部３０４は、電池１０６、ＤＣカプラまたは受電部１０５を無線受電装置１０１の電源として選択する。電源選択部３０４は、例えば、カソードを共通とした２個のダイオードを使用し、カソード側を電力制御部１０３に接続し、一方のダイオードのアノードを電池１０６に接続し、もう一方のダイオードのアノードを受電部１０５に接続するようにして構成できる。
【００６１】
次に、図４（Ａ）および図４（Ｂ）のフローチャートを参照して、無線受電装置１０１の動作例と無線送電装置２０１の動作例とを説明する。図４（Ａ）は、実施形態２における無線受電装置１０１の動作例を説明するためのフローチャートである。図４（Ｂ）は、実施形態２における無線送電装置２０１の動作例を説明するためのフローチャートである。以下では、ユーザが無線受電装置１０１を無線送電装置２０１に設置したことをトリガーとして無線電力伝送が開始される場合における無線受電装置１０１および無線送電装置２０１の動作例を説明する。
【００６２】
なお、図４（Ａ）のフローチャートを参照して説明する無線受電装置１０１の動作は、制御部１０２のプロセッサが制御部１０２のメモリに格納された所定のプログラムを実行することにより制御される。図４（Ｂ）のフローチャートを参照して説明する無線送電装置２０１の動作は、制御部２０２のプロセッサが制御部２０２のメモリに格納された所定のプログラムを実行することにより制御される。
【００６３】
ステップＳ４０１において、送電部２０５は、通信部１０４が通信部２０４と通信するのに要する電力を無線で伝送する。この場合、送電部２０５と受電部１０５との結合係数などによって、送電電力が一定であっても、受電電力が変わる場合がある。そのため、制御部２０２は、適切な受電電力となるように送電部２０５の送電電力を調整する。
【００６４】
ステップＳ３０１において、受電部１０５は、送電部２０５から伝送される電力を受け取る。
【００６５】
ステップＳ３０２において、制御部１０２は、通信部１０４を制御して通信接続を実行する。
【００６６】
ステップＳ４０２において、制御部２０２は、通信部２０４を制御して、通信部１０４との通信接続を実行する。
【００６７】
ステップＳ３０３において、制御部１０２は、通信部１０４から通信部２０４に対して電源種別判定の実行が可能な第４の電力を要求するための第４の電力要求を送信する。第４の電力は、電池検出部３０１での検出処理およびＤＣカプラ検出部３０３での電圧検出処理に必要な電力であり、例えば、予め必要な電力情報を測定することで特定することができる。また、第４の電力情報を記憶部１１０に記憶することで、通信部１０４が記憶部１１０に記憶されている第４の電力情報を、無線送電装置２０１に送信することができる。
【００６８】
ステップＳ４０３において、通信部２０４が無線受電装置１０１から第４の電力情報を受信し、制御部２０２に通知する。
【００６９】
ステップＳ４０４において、送電部２０５は、通信部１０４から受信した第４の電力情報に応じた第４の電力を受電部１０５に無線で伝送する。この場合、送電部２０５と受電部１０５との結合係数などによって、送電電力が一定であっても、受電電力が変わる場合がある。そのため、制御部２０２は、適切な受電電力となるように送電部２０５の送電電力を調整する。
【００７０】
ステップＳ３０４において、受電部１０５は、送電部２０５から伝送される第４の電力を受け取る。電力制御部１０３は、受電部１０５が受け取った第４の電力を電池検出部３０１などに供給する。この第４の電力を使用して、電池検出部３０１は電源種別判定を実行する。
【００７１】
ステップＳ３０５において、制御部１０２は、ステップＳ３０４で行われた電源種別判定の結果、電池１０６が無線受電装置１０１に接続されていると判定した場合は、図２（Ａ）のステップＳ１０２に進む。制御部１０２は、ステップＳ３０４で電池１０６が無線受電装置１０１に接続されていないと判定した場合は、ステップＳ３０６に進む。
【００７２】
ステップＳ３０６において、ＤＣカプラ検出部３０３が電圧値を検出し、電力供給の有無を検出する。ステップＳ３０６で電力供給がある場合は、ステップＳ３１３に進み、電力供給がない場合は、ステップＳ１０５に進む。
【００７３】
ステップＳ３１３において、制御部１０２は、電池１０６の代わりにＤＣカプラが接続され、交流電源からＤＣカプラを通して電力が供給されていると判定する。そして、制御部１０２は、ＤＣカプラからの電力を使用し、表示部１０８に充電不可原因を表示する。表示例としては、図５（Ｂ）に示すような、”ＤＣカプラが入っています、充電できません“などの表示を行い、ユーザに充電不可原因を通知する。
【００７４】
図４（Ａ）のステップＳ１０５〜Ｓ１１０で行われる処理は、図２（Ａ）のステップＳ１０５〜Ｓ１１０で行われる処理と同様であるので、それらの説明を省略する。図４（Ｂ）のステップＳ２０４〜Ｓ２０７で行われる処理は、図２（Ｂ）のステップＳ２０４〜Ｓ２０７で行われる処理と同様であるので、それらの説明を省略する。
【００７５】
ただし、ステップＳ１０６において、受電部１０５は、送電部２０５から第２の電力を受け取り、表示部１０８は、受電部１０５が受け取った第２の電力により充電不可原因を表示する。表示例としては、図５（Ｃ）に示すような、”電池が入っていません、充電できません“などの表示を行い、ユーザに充電不可原因を通知する。
【００７６】
また、実施形態２では、送電部２０５から伝送される電力を使用して、通信接続の実行、電源判定の実行、表示部１０８への表示などを行っているが、これに限定されない。例えば、送電部２０５から伝送される電力と共にＤＣカプラの電力を使用してもよい。
【００７７】
また、実施形態２では、充電不可原因を、表示部１０８を使用してユーザに通知しているが、充電不可原因として、ＤＣカプラまたは電池が正しく接続されていない場合がある。このような場合には、簡易表示部１０９を使用してユーザに警告を発してもよい。
【００７８】
以上説明したように、無線受電装置１０１は、接続電源がＤＣカプラであった場合には、接続電源の充電が実行されていない原因を表示部１０８に表示することができる。これにより、電池１０６の充電が実行されていない原因をユーザに分かりやすく通知することができる。
【００７９】
［実施形態３］
実施形態１および２で説明した様々な機能、処理または方法は、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどがプログラムを用いて実現することもできる。以下、実施形態３では、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどを「コンピュータＸ」と呼ぶ。実施形態３では、コンピュータＸを制御するためのプログラムであって、実施形態１および２で説明した様々な機能、処理または方法を実現するためのプログラムを「プログラムＹ」と呼ぶ。
【００８０】
実施形態１および２で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態３におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも１つを含む。実施形態３におけるコンピュータ読み取り可能な記憶媒体は、ｎｏｎ−ｔｒａｎｓｉｔｏｒｙな記憶媒体である。
【００８１】
なお、本発明の実施形態は上述の実施形態１、２または３に限定されるものではない。発明の要旨を逸脱しない範囲で変更または修正された実施形態１、２または３も本発明の実施形態に含まれる。
【符号の説明】
【００８２】
１０１…無線受電装置、１０２…制御部、１０４…通信部、１０５…受電部、１０６…電池、１０７…電池認証部、１０８…表示部、１０９…簡易表示部、２０１…無線送電装置、２０２…制御部、２０４…通信部、２０５…送電部
【図１】
2019022420.tif 000003
【図２】
2019022420.tif 000004
【図３】
2019022420.tif 000005
【図４】
2019022420.tif 000006
【図５】
2019022420.tif 000007